(57)【要約】【課題】アナログチューナとデジタルチューナの両方を備えた放送受信装置において、アナログ放送の停波を自動的に判定し、アナログ放送停波後にアナログチューナに係る機能を無効化する。【解決手段】放送受信装置１０は、アナログ放送を受信するアナログチューナ１２と、デジタル放送を受信するデジタルチューナ１３と、アナログ放送の停波を判定するマイコン１６とを備え、マイコン１６によりアナログ放送が停波したと判定された場合、アナログチューナ１２に係る機能を無効化する。放送受信装置１０は、アナログチューナ１２とデジタルチューナ１３を含む複数の入力ソースを切り替えるための入力切替メニューを表示する映像処理部１５を備え、マイコン１６は、入力切替メニューからアナログチューナ１２を削除すると共に、アナログチューナ１２への電力供給を停止することにより、アナログチューナ１２に係る機能を無効化する。【選択図】図１
2008312135.tif 000002
【特許請求の範囲】
【請求項１】
アナログ放送を受信するアナログ放送受信手段と、デジタル放送を受信するデジタル放送受信手段と、アナログ放送の停波を判定する停波判定手段とを備え、
前記停波判定手段によりアナログ放送が停波したと判定された場合、前記アナログ放送受信手段に係る機能を無効化することを特徴とする放送受信装置。
【請求項２】
請求項１に記載の放送受信装置において、前記アナログ放送受信手段と前記デジタル放送受信手段を含む複数の入力ソースを切り替えるための入力切替メニューを表示可能とし、
前記アナログ放送受信手段に係る機能を無効化する処理は、前記入力切替メニューから前記アナログ放送受信手段を削除する処理であることを特徴とする放送受信装置。
【請求項３】
請求項２に記載の放送受信装置において、前記デジタル放送受信手段は、前記放送受信装置に付加された外部モジュールとして構成され、前記入力切替メニューの外部入力としてリスト化されていることを特徴とする放送受信装置。
【請求項４】
請求項１乃至３のいずれか１項に記載の放送受信装置において、前記アナログ放送受信手段に係る機能を無効化する処理は、前記アナログ放送受信手段への電力供給を停止する処理であることを特徴とする放送受信装置。
【請求項５】
請求項１乃至４のいずれか１項に記載の放送受信装置において、入力映像信号にＯＳＤ信号を重畳するＯＳＤ手段を備え、
前記ＯＳＤ手段は、前記停波判定手段によりアナログ放送の停波を判定した後、ユーザによりアナログ放送の任意のチャンネルが選択された場合、アナログ放送の停波を通知するためのメッセージをオンスクリーン表示することを特徴とする放送受信装置。
【請求項６】
請求項１乃至４のいずれか１項に記載の放送受信装置において、入力映像信号にＯＳＤ信号を重畳するＯＳＤ手段を備え、
前記ＯＳＤ手段は、前記停波判定手段によりアナログ放送の停波を判定した後、ユーザによりアナログ放送の任意のチャンネルが選択された場合、アナログ放送の受信を有効にするかどうか確認するためのメッセージをオンスクリーン表示することを特徴とする放送受信装置。
【請求項７】
請求項１乃至６のいずれか１項に記載の放送受信装置において、前記停波判定手段は、前記放送受信装置が待機状態にあるときに、前記アナログ放送受信手段を動作させ、該アナログ放送受信手段によるチャンネルサーチの結果に基づいて、アナログ放送の停波を判定することを特徴とする放送受信装置。
【請求項８】
請求項１乃至６のいずれか１項に記載の放送受信装置において、前記停波判定手段は、前記放送受信装置が動作状態にあるときに、所定の時間間隔で前記アナログ放送受信手段をバックグランドで動作させ、該アナログ放送受信手段によるチャンネルサーチの結果に基づいて、アナログ放送の停波を判定することを特徴とする放送受信装置。
【請求項９】
請求項１乃至６のいずれか１項に記載の放送受信装置において、アナログ放送の停波判定を指示するための停波判定指示手段を備え、
前記停波判定手段は、前記停波判定指示手段による指示があったときに、前記アナログ放送受信手段を動作させ、該アナログ放送受信手段によるチャンネルサーチの結果に基づいて、アナログ放送の停波を判定することを特徴とする放送受信装置。
【請求項１０】
請求項７乃至９のいずれか１項に記載の放送受信装置において、アナログ放送停波予定日を記憶した記憶手段を備え、
前記停波判定手段は、前記記憶手段に記憶されたアナログ放送停波予定日以降に、アナログ放送の停波判定を行うことを特徴とする放送受信装置。
【発明の詳細な説明】
【技術分野】
【０００１】
本発明は、放送受信装置、より詳細には、アナログ放送とデジタル放送の両方を受信可能な放送受信装置に関する。
【背景技術】
【０００２】
地上アナログ放送は２０１１年に終了（停波）し、これ以降全てデジタル放送化される予定であり、この２０１１年までの間はアナログ放送とデジタル放送の混在した状態で推移することになる。このようなアナログ放送からデジタル放送への過渡期において、アナログチューナ及びデジタルチューナの両方を搭載した放送受信装置が主流になっている。このような構成とした場合、アナログチューナ及びデジタルチューナの両方に電力を供給する必要があり、消費電力が大きくなるという問題がある。
【０００３】
これに対して、特許文献１には、アナログ放送の停波後に、アナログチューナへの電力供給を停止して、消費電力を低減するようにした放送受信装置が記載されている。これによれば、所定の切り替え操作、すなわち、ユーザが手動で切り替える、ネットワーク経由等で送られてくる切替日時で切り替える、ユーザにより予め指定された切替日時で切り替える、ネットワーク経由等で機器制御プログラムを書き換えることで切り替える、などの操作によって、アナログチューナへの電力供給を停止させる。
【特許文献１】特開２００６−１０８９７４号公報
【発明の開示】
【発明が解決しようとする課題】
【０００４】
しかしながら、上記特許文献１に記載の技術は、アナログ放送の停波による切り替えをユーザの手動で行っているため、ユーザに負担を強いるだけでなく、設定ミスが起こる可能性がある。また、ネットワーク経由等とした場合、必ずしもネットワークから切替日時が提供されるとは限らず、信頼性に欠ける。また、ファームウェア（機器制御プログラム）のアップデートとした場合、販売時期等によって異なる仕様の機種が多数含まれることから対応が困難となる。
【０００５】
このように、上記特許文献１をはじめとする従来技術の場合、アナログ放送の停波を判定するための情報を外部から与える必要があったため、設定ミスが発生し易く、信頼性の面で不十分であった。
【０００６】
また、アナログ放送の停波後において、オンスクリーン表示される入力切替メニュー上には、アナログ放送が終了しているにもかかわらず、アナログＴＶチューナの項目がそのまま残ってしまうという問題がある。入力切替メニュー上にアナログＴＶチューナが残ってしまうと、放送の終了したアナログＴＶチューナをユーザが間違って選択してしまう恐れがあり、操作性を損なうことになる。また、入力切替メニュー上にアナログＴＶチューナが残ったままだと、いかにも古い機種のように見え、見た目にも好ましくない。
【０００７】
従来のテレビ受像機の場合、アナログ放送の停波にかかわらず、アナログ放送を必要としないユーザは、入力切替メニューのスキップ設定でアナログＴＶチューナをスキップさせ、選択できないようにすることができる。具体的には、ユーザ操作によりアナログＴＶチューナをスキップ設定すると、入力切替メニュー上でアナログＴＶチューナが削除（非表示）されるか、ハッチングされる。これにより、アナログＴＶチューナがスキップされて選択することができなくなる。アナログＴＶチューナがハッチングされ選択不可にされた入力切替メニューの例を図１２に示す。
【０００８】
しかしながら、このスキップ設定はユーザが手動で行う必要があるため、特に高齢者などのテレビの操作に慣れていないユーザには負担が大きい。さらに、デジタルチューナを後からアドオンするタイプのテレビの場合、アナログＴＶチューナをスキップ設定することができないため、アナログ放送の停波後であっても、入力切替メニューにそのままアナログＴＶチューナが残ることになる。
【０００９】
本発明は、上述のごとき実情に鑑みてなされたものであり、アナログチューナとデジタルチューナの両方を備えた放送受信装置において、アナログ放送の停波を自動的に判定し、アナログ放送停波後にアナログチューナに係る機能を無効化すること、を目的とする。
【課題を解決するための手段】
【００１０】
上記課題を解決するために、本発明の第１の技術手段は、アナログ放送を受信するアナログ放送受信手段と、デジタル放送を受信するデジタル放送受信手段と、アナログ放送の停波を判定する停波判定手段とを備え、停波判定手段によりアナログ放送が停波したと判定された場合、アナログ放送受信手段に係る機能を無効化することを特徴としたものである。
【００１１】
第２の技術手段は、第１の技術手段において、アナログ放送受信手段とデジタル放送受信手段を含む複数の入力ソースを切り替えるための入力切替メニューを表示可能とし、アナログ放送受信手段に係る機能を無効化する処理は、入力切替メニューからアナログ放送受信手段を削除する処理であることを特徴としたものである。
【００１２】
第３の技術手段は、第２の技術手段において、デジタル放送受信手段は、放送受信装置に付加された外部モジュールとして構成され、入力切替メニューの外部入力としてリスト化されていることを特徴としたものである。
【００１３】
第４の技術手段は、第１乃至第３のいずれか１の技術手段において、アナログ放送受信手段に係る機能を無効化する処理は、アナログ放送受信手段への電力供給を停止する処理であることを特徴としたものである。
【００１４】
第５の技術手段は、第１乃至第４のいずれか１の技術手段において、入力映像信号にＯＳＤ信号を重畳するＯＳＤ手段を備え、ＯＳＤ手段は、停波判定手段によりアナログ放送の停波を判定した後、ユーザによりアナログ放送の任意のチャンネルが選択された場合、アナログ放送の停波を通知するためのメッセージをオンスクリーン表示することを特徴としたものである。
【００１５】
第６の技術手段は、第１乃至第４のいずれか１の技術手段において、入力映像信号にＯＳＤ信号を重畳するＯＳＤ手段を備え、ＯＳＤ手段は、停波判定手段によりアナログ放送の停波を判定した後、ユーザによりアナログ放送の任意のチャンネルが選択された場合、アナログ放送の受信を有効にするかどうか確認するためのメッセージをオンスクリーン表示することを特徴としたものである。
【００１６】
第７の技術手段は、第１乃至第６のいずれか１の技術手段において、停波判定手段は、放送受信装置が待機状態にあるときに、アナログ放送受信手段を動作させ、アナログ放送受信手段によるチャンネルサーチの結果に基づいて、アナログ放送の停波を判定することを特徴としたものである。
【００１７】
第８の技術手段は、第１乃至第６のいずれか１の技術手段において、停波判定手段は、放送受信装置が動作状態にあるときに、所定の時間間隔でアナログ放送受信手段をバックグランドで動作させ、アナログ放送受信手段によるチャンネルサーチの結果に基づいて、アナログ放送の停波を判定することを特徴としたものである。
【００１８】
第９の技術手段は、第１乃至第６のいずれか１の技術手段において、アナログ放送の停波判定を指示するための停波判定指示手段を備え、停波判定手段は、停波判定指示手段による指示があったときに、アナログ放送受信手段を動作させ、アナログ放送受信手段によるチャンネルサーチの結果に基づいて、アナログ放送の停波を判定することを特徴としたものである。
【００１９】
第１０の技術手段は、第７乃至第９のいずれか１の技術手段において、アナログ放送停波予定日を記憶した記憶手段を備え、停波判定手段は、記憶手段に記憶されたアナログ放送停波予定日以降に、アナログ放送の停波判定を行うことを特徴としたものである。
【発明の効果】
【００２０】
本発明によれば、アナログチューナとデジタルチューナの両方を備えた放送受信装置において、アナログ放送の停波を自動的に判定し、アナログ放送停波後にアナログチューナに係る機能を無効化できるため、ユーザ設定や外部情報に基づくアナログ放送の停波判定と比べて、設定ミスが生じにくく信頼性が向上する。さらに、入力切替メニューが見易くなるため操作性が向上し、放送受信装置の消費電力を低減することができる。
【発明を実施するための最良の形態】
【００２１】
以下、添付図面を参照しながら、本発明の放送受信装置に係る好適な実施の形態について説明する。なお、本発明の各実施形態を説明するための全図において、同じ機能を有する部分には同じ符号を付し、繰り返しの説明は省略する。
【００２２】
図１は、本発明の一実施形態に係る放送受信装置の要部構成例を示すブロック図で、図中、１０は放送受信装置を示す。この放送受信装置１０は、デジタルチューナとアナログチューナの両方を備えていればよく、例えば、ＴＶ受像機やレコーダをはじめ、チューナ機能を備えたパーソナルコンピュータ（ＰＣ）などであってもよい。
【００２３】
放送受信装置１０は、チャンネルサーチにおける同期を判定する同期判定ＩＣである同期判定部１１と、アナログ放送信号を受信する本発明のアナログ放送受信手段に相当するアナログチューナ１２と、デジタル放送信号を受信する本発明のデジタル放送受信手段に相当するデジタルチューナ１３と、各種データを記憶する本発明の記憶手段に相当するＲＡＭやＲＯＭ等の記憶部１４と、アナログチューナ１２あるいはデジタルチューナ１３からの入力映像信号を処理する映像処理ＩＣである映像処理部１５と、これら同期判定部１１，アナログチューナ１２，デジタルチューナ１３，映像処理部１５を制御するマイクロコンピュータ（マイコン）１６と、映像処理部１５で処理された入力映像信号を表示する液晶ディスプレイなどのモニタ１７とを備える。
【００２４】
なお、映像処理部１５は、入力映像信号にＯＳＤ（オンスクリーンディスプレイ）信号を重畳する本発明のＯＳＤ手段としても機能し、アナログチューナ１２あるいはデジタルチューナ１３を含む複数の入力ソースを切り替えるための入力切替メニューなどの各種ＯＳＤメニューをモニタ１７に表示する。本例ではＯＳＤ手段を映像処理部１５に含めた構成としているが、映像処理部１５とＯＳＤ手段とを別々に構成してもよいことは言うまでもない。
【００２５】
マイコン１６は、本発明の停波判定手段に相当し、アナログ放送の停波を判定する。また、マイコン１６は、アナログ放送が停波したと判定された場合、アナログチューナ１２に係る機能を無効化する処理を行う。すなわち、マイコン１６は、入力切替メニューからアナログチューナ１２を削除すると共に、アナログチューナ１２への電力供給を停止することにより、アナログチューナ１２に係る機能を無効化する。なお、アナログチューナ１２にアンテナが接続されていなければ、アナログ放送の停波前であっても、アナログチューナ１２に係る機能は無効化される。
【００２６】
マイコン１６によるアナログ放送の停波判定方法としては次の３つが考えられる。
第１に、放送受信装置１０が待機状態（すなわち、主電源ＯＦＦの状態）にあるときに、アナログチューナ１２を動作させ、アナログチューナ１２によるチャンネルサーチの結果に基づいて、アナログ放送の停波を判定する。
【００２７】
第２に、放送受信装置１０が動作状態（すなわち、主電源ＯＮの状態）にあるときに、所定の時間間隔でアナログチューナ１２をバックグランドで動作させ、アナログチューナ１２によるチャンネルサーチの結果に基づいて、アナログ放送の停波を判定する。この場合、ユーザがアナログチューナ１２を使用していないときに、バックグランドでアナログチューナ１２を動作させ、同期判定部１１がマイコン１６からの制御に従ってアナログ放送のチャンネルサーチを行う。このように、主電源ＯＮの状態であっても、アナログ放送のチャンネルサーチを行い、アナログ放送の停波を判定することも可能である。なお、この処理は主電源ＯＮの状態でユーザの設定した時間間隔で行うようにし、主電源ＯＦＦ時のチャンネルサーチは行わない。
【００２８】
そして、第３に、アナログ放送の停波判定を指示するための停波判定指示手段を備え、この停波判定指示手段による指示があったときに、アナログチューナ１２を動作させ、アナログチューナ１２によるチャンネルサーチの結果に基づいて、アナログ放送の停波を判定する。なお、この停波判定指示手段はマイコン１６に相当し、マイコン１６からの制御に従って、映像処理部１５がＯＳＤメニューを表示させ、このメニュー上で“今すぐ自動検出”が選択された場合、アナログ放送の自動検出を行う。
【００２９】
なお、第１〜第３のアナログ放送停波判定処理は、スキップ設定のメニュー（“Ａｕｔｏ”，“ＯＮ”，“ＯＦＦ”）から、ユーザにより“Ａｕｔｏ”が選択されたときに実行される。この“Ａｕｔｏ”以外の“ＯＮ”あるいは“ＯＦＦ”が選択された場合、各モードに応じたスキップ設定が実行される。このアナログ放送停波判定処理に係るスキップ設定については後述の図１０で詳細に説明する。
【００３０】
このように、アナログチューナとデジタルチューナの両方を備えた放送受信装置において、アナログ放送の停波を自動的に判定し、アナログ放送停波後にアナログチューナに係る機能を無効化できるため、ユーザ設定や外部情報に基づくアナログ放送の停波判定と比べて、設定ミスが生じにくく信頼性が向上する。
【００３１】
図２は、アナログ放送停波後における入力切替メニューの一例を示す図である。放送受信装置１０は、アナログ放送が停波したと判定した場合、図１２に示した入力切替メニューから“アナログＴＶチューナ”を削除すると共に、図２に示すように、“デジタルチューナ”に代えて“ＴＶチューナ”を表示する。そして、この“ＴＶチューナ”が選択されると、デジタルチューナ１３が入力となる。
【００３２】
このように、アナログ放送の停波に応じて入力切替メニューを書き換えることで、ユーザからすると、放送受信装置１０がアナログチューナのない新しいモデルのように見え、アナログ放送停波後にアナログチューナを意識せずに操作することができる。
【００３３】
図３は、本発明の他の実施形態に係る放送受信装置の要部構成例を示すブロック図である。本実施形態の放送受信装置１０は、デジタルチューナモジュール１３′を後からアドオンした点が図１に示した装置構成と異なる。このようなアドオン機の場合、アドオンされたデジタルチューナモジュール１３′を、入力切替メニュー等を含め、外部入力の一つとして扱う。このため、従来、“アナログＴＶチューナ”をスキップ設定することができず、たとえアナログ放送の終了後であっても、“アナログＴＶチューナ”が入力切替メニュー上に残ってしまうことになる。
【００３４】
本発明の放送受信装置１０は、このようなアドオン機に対しても入力切替メニューを書き換えることができる。すなわち、アナログ放送が停波したと判定した場合、入力切替メニューから“アナログＴＶチューナ”を削除し、“ＴＶチューナ”を表示する。但し、“ＴＶチューナ”は、デジタルチューナモジュール１３′が接続された外部入力に対応する。そして、この“ＴＶチューナ”が選択されると、デジタルチューナモジュール１３′が入力となる。
【００３５】
図４は、本発明の放送受信装置１０によるアナログ放送停波判定方法の一例を説明するためのフロー図である。まず、ユーザがＴＶ電源（すなわち、放送受信装置１０の主電源）をＯＦＦにすると（ステップＳ１）、マイコン１６がスキップ設定を参照し、“Ａｕｔｏ”になっているかどうかを判定する（ステップＳ２）。スキップ設定が“Ａｕｔｏ”になっている場合（ＹＥＳの場合）、アナログチューナ１２を動作させ、アナログ放送のオートサーチを開始する（ステップＳ３）。また、ステップＳ２において、スキップ設定が“Ａｕｔｏ”になっていない場合（ＮＯの場合）、アナログ放送停波判定処理を終了する（ステップＳ４）。
【００３６】
次に、マイコン１６は、アナログ放送のオートサーチが終了すると、検出チャンネル数が“０”よりも大きいかどうかを判定する（ステップＳ５）。ここで、検出チャンネル数が“０”よりも大きくない、すなわち“０”である場合（ＮＯの場合）、アナログ放送が終了したと判定する（ステップＳ６）。そして、マイコン１６が、記憶部１４へアナログ放送終了を記憶し（ステップＳ７）、アナログチューナ１２を停止させる（ステップＳ８）。また、ステップＳ５において、検出チャンネル数が“０”よりも大きい場合（ＹＥＳの場合）、マイコン１６が、アナログ放送継続中と判定し（ステップＳ９）、記憶部１４へアナログ放送が継続中であることを記憶する（ステップＳ１０）。
【００３７】
図５は、アナログ放送停波判定処理で停波が確定したときの放送受信装置１０の電力供給状態の一例を説明するためのブロック図である。図５（Ａ）はアナログ放送停波前のアナログチューナ１２への電力供給状態を示し、図５（Ｂ）はアナログ放送停波後のアナログチューナ１２への電力供給状態を示す。
【００３８】
図５（Ａ）に示すように、アナログ放送の停波前においては、アナログチューナ１２，デジタルチューナ１３の両方に電力が供給されるように制御される。しかし、マイコン１６がアナログ放送の停波を検出した場合、図５（Ｂ）に示すように、アナログチューナ１２への電力供給を停止するように制御される。
【００３９】
図６は、アナログ放送停波に伴うアナログチューナ１２に係る機能の無効化処理の一例を説明するためのフロー図である。まず、ユーザがＴＶ電源（放送受信装置１０の主電源）をＯＮするか、または、ユーザが設定した時間間隔が経過すると（ステップＳ１１）、マイコン１６が記憶部１４からアナログ放送の終了／継続を示す情報を読み出す（ステップＳ１２）。マイコン１６は、このアナログ放送の終了／継続を示す情報に基づいて、アナログ放送が終了したかどうかを判定し（ステップＳ１３）、アナログ放送が終了していない場合（ＮＯの場合）、そのまま終了する。また、ステップＳ１３において、アナログ放送が終了している場合（ＹＥＳの場合）、マイコン１６がアナログチューナ１２への電力供給を停止する（ステップＳ１４）。
【００４０】
次に、マイコン１６は、前述の図２に示したように、映像処理部１５に対して、入力切替選択時のＯＳＤで“ＴＶチューナ”を表示させるように制御する（ステップＳ１５）。そして、リモコン等に設けられた“入力切替キー”がユーザにより押下されたかどうかを判定する（ステップＳ１６）。ユーザにより“入力切替キー”が押下された場合（ＹＥＳの場合）、映像処理部１５は、図２に示した入力切替メニューをモニタ１７に出力する（ステップＳ１７）。また、ステップＳ１６において、ユーザにより“入力切替キー”が押下されない場合（ＮＯの場合）、ステップＳ１６で入力待ち状態に移行する。
【００４１】
ここで、放送受信装置１０は、アナログ放送の同期の有／無に基づいて、アナログ放送の停波を判定する。このため、電波の弱い地域ではアナログサーチに失敗し、結果として誤った判定を行う可能性がある。そこで、一旦アナログチューナ１２に係る機能を無効化した後であっても、再度有効にできる機能が必要となる。
【００４２】
図７は、アナログ放送停波判定処理が誤判定だったときの放送受信装置１０の電力供給状態の一例を説明するためのブロック図である。図７（Ａ）は停波が確定したときのアナログチューナ１２への電力供給状態を示し、図７（Ｂ）は停波確定後に誤判定だったときのアナログチューナ１２への電力供給状態を示す。
【００４３】
図７（Ａ）に示すように、アナログ放送停波判定処理において、アナログ放送の停波が確定すると、マイコン１６がアナログチューナ１２への電力供給を停止するように制御する。そして、アナログ放送停波判定が誤判定だった場合、図７（Ｂ）に示すように、マイコン１６がアナログチューナ１２への電力供給を再開するように制御する。
【００４４】
図８は、アナログ放送停波判定処理が誤判定だったときのアナログチューナ１２に係る機能の有効化処理の一例を説明するためのフロー図である。まず、ユーザがＴＶ電源（放送受信装置１０の主電源）をＯＦＦするか、または、ユーザが設定した時間間隔が経過すると（ステップＳ２１）、マイコン１６はアナログ放送が放送中かどうかを判定する（ステップＳ２２）。アナログ放送が放送中でなければ（ＮＯの場合）、そのまま終了する。また、アナログ放送が放送中である場合（ＹＥＳの場合）、マイコン１６が記憶部１４にアナログ放送中と書き込む（ステップＳ２３）。
【００４５】
次に、マイコン１６は、ユーザによりＴＶ電源がＯＮされたかどうか判定し（ステップＳ２４）、ＴＶ電源がＯＮされた場合（ＹＥＳの場合）、マイコン１６が記憶部１４からアナログ放送の終了／継続を示す情報を読み出す（ステップＳ２５）。また、ステップＳ２４において、ユーザによりＴＶ電源がＯＮされない場合（ＮＯの場合）、ステップＳ２４で待機状態に移行する。
【００４６】
次に、マイコン１６は、ステップＳ２５で読み出したアナログ放送の終了／継続を示す情報（ここではアナログ放送の継続を示す）に基づいて、アナログチューナ１２への電力供給を再開する（ステップＳ２５）。そして、マイコン１６は、図９に示すように、映像処理部１５に対して、入力切替選択時のＯＳＤで“アナログＴＶチューナ”，“デジタルＴＶチューナ”を表示させるように制御する（ステップＳ２７）。
【００４７】
そして、リモコン等に設けられた“入力切替キー”がユーザにより押下されたかどうかを判定する（ステップＳ２８）。ユーザにより“入力切替キー”が押下された場合（ＹＥＳの場合）、映像処理部１５は、図９に示す入力切替メニューをモニタ１７に出力する（ステップＳ２９）。また、ステップＳ２８において、ユーザにより“入力切替キー”が押下されない場合（ＮＯの場合）、ステップＳ２８で入力待ち状態に移行する。
【００４８】
図１０は、アナログ放送停波判定処理に係るスキップ設定時に表示される設定画面の一例を示す図である。まず、リモコン等のユーザ操作により“スキップ設定”が選択されると、映像処理部１５はスキップ設定画面２０をオンスクリーン表示する。ユーザはリモコン等を操作して、スキップ設定画面２０から、“Ａｕｔｏ”，“ＯＮ”，“ＯＦＦ”のいずれかを選択指定する。ここで、“Ａｕｔｏ”が選択された場合、映像処理部１５はアナログ放送の自動検出指示画面２１をオンスクリーン表示し、一方、“ＯＮ”あるいは“ＯＦＦ”が選択された場合、スキップ設定を選択されたモードで動作させる。
【００４９】
次に、ユーザはリモコン等を操作して、自動検出指示画面２１から、“ＹＥＳ”，“ＮＯ”のいずれかを選択指定する。“ＮＯ”が選択された場合、アナログ放送の検出条件を満たしたときに、アナログ放送を検出する処理を実行する。このアナログ放送の検出条件とは、放送受信装置１０の主電源をＯＦＦ（待機状態）にしたとき、あるいは、ユーザにより設定された時間間隔が経過したとき、などである。
【００５０】
また、アナログ放送の自動検出指示画面２１から、“ＹＥＳ”が選択された場合、アナログ放送のチャンネルサーチを開始し、映像処理部１５はチャンネルサーチの進捗状況を示す進捗状況画面２２をオンスクリーン表示する。そして、チャンネルサーチの結果、アナログ放送のチャンネルが検出されなかった場合、映像処理部１５はサーチ結果画面２３をオンスクリーン表示し、「検出結果：アナログ放送終了、アナログチャンネル選択をスキップＯＮに設定します」というメッセージを表示する。一方、チャンネルサーチの結果、アナログ放送のチャンネルが検出された場合、映像処理部１５はサーチ結果画面２４をオンスクリーン表示し、「検出結果：アナログ放送有り、アナログチャンネル選択をスキップＯＦＦに設定します」というメッセージを表示する。
【００５１】
図１１は、アナログ放送停波判定処理において誤判定を回避するためのコーション表示の例を示す図である。まず、アナログ放送の停波判定後に、ユーザ操作によりアナログチャンネルが選択指定された場合、図１１（Ａ）に示すコーション表示を行う。すなわち、本例の場合、アナログ放送が停波したと判定していることの表示のみを行う。ユーザはこのコーションを見てメニュー設定を切り替える等の操作を行う。
【００５２】
また、図１１（Ｂ）に示すコーション表示を行うようにしてもよい。本例の場合、アナログ放送の停波判定後に、ユーザ操作によりアナログチャンネルが選択指定された場合、アナログ放送受信を有効にするかどうかを選択できるようにしている。このコーション画面から、“ＹＥＳ”が選択された場合、アナログ放送の停波判定を“放送有り”に切り替え、放送終了のスキップ設定も、“Ａｕｔｏ（信号有り）”に切り替える。さらに、ユーザから指定されたチャンネルの選局処理を行う。一方、“ＮＯ”が選択された場合、選局／入力切替処理を実行せず、コーション表示を消す。
【００５３】
このように、映像処理部１５は、マイコン１６によりアナログ放送の停波を判定した後、ユーザによりアナログ放送の任意のチャンネルが選択された場合、図１１（Ａ）に示すように、アナログ放送の停波を通知するためのメッセージをオンスクリーン表示する。あるいは、映像処理部１５は、マイコン１６によりアナログ放送の停波を判定した後、ユーザによりアナログ放送の任意のチャンネルが選択された場合、図１１（Ｂ）に示すように、アナログ放送の受信を有効にするかどうか確認するためのメッセージをオンスクリーン表示するようにしてもよい。
【００５４】
また、アナログ放送の停波をより正確に判定するために、例えば、販売地域に応じたアナログ放送停波予定日を予め記憶しておき、そのアナログ放送停波予定日が経過した後に、アナログ放送停波判定処理を行うようにしてもよい。このアナログ放送停波予定日は、放送受信装置１０の生産時あるいは工程調整時などに、記憶部１４に予め記憶しておくとよい。マイコン１６は、記憶部１４に記憶されたアナログ放送停波予定日以降に、アナログ放送の停波判定を行う。これにより、アナログ放送停波の誤判定を減らし、ユーザの混乱を防止する。なお、放送受信装置１０は、現在時刻を内部時計、Ｗｅｂ、テレテキスト、デジタルチューナ１３などから取得することができ、この現在時刻とアナログ放送停波予定日とを比較することで、アナログ放送停波予定日の経過を判定する。
【００５５】
また、アナログ放送停波判定処理によるアナログ放送の停波確定時、あるいはアナログチューナ１２のスキップ設定が“ＯＮ”の時に、アナログチューナ１２に係る回路への電力供給を停止する。このように、アナログチューナ１２に係る回路への電力供給を停止することで、放送受信装置１０の消費電力を低減することができる。また、アナログチューナ１２に係る制御を一切行わないようにすることで、初期化処理を省略することができ、システムの高速化や、メモリ等のリソースを有効に活用することが可能となる。
【００５６】
また、最近のケーブルＴＶ放送は、アナログ放送／デジタル放送が混合されている。この混合放送に対して、アナログ放送のチャンネルを定期的にチェック（チャンネルサーチ）することで、アナログ放送の停波を検出することができる。これにより、ケーブルＴＶであっても、アナログ放送に対してチャンネルを自動的にスキップさせることが可能となる。
【００５７】
また、ホテル等の公共施設において、ローカル番組を追加発信している場合に、発信（ホテル）側の都合により番組を削減させるケースが想定される。このようなケースに対しても、各部屋のチャンネル設定を自動的に書き換えて、削除された番組のみスキップ設定にすることができる。また逆に、上記のチャンネル設定自動書換機能を利用して、番組追加時に、各部屋のチャンネル設定を自動的に書き換えて、番組を追加することも可能となる。
【００５８】
以上説明したように、本発明によれば、アナログチューナとデジタルチューナの両方を備えた放送受信装置において、アナログ放送の停波を自動的に判定し、アナログ放送停波後にアナログチューナに係る機能を無効化できるため、ユーザ設定や外部情報に基づくアナログ放送の停波判定と比べて、設定ミスが生じにくく信頼性が向上する。さらに、入力切替メニューが見易くなるため操作性が向上し、放送受信装置の消費電力を低減することができる。
【図面の簡単な説明】
【００５９】
【図１】本発明の一実施形態に係る放送受信装置の要部構成例を示すブロック図である。
【図２】アナログ放送停波後における入力切替メニューの一例を示す図である。
【図３】本発明の他の実施形態に係る放送受信装置の要部構成例を示すブロック図である。
【図４】本発明の放送受信装置によるアナログ放送停波判定方法の一例を説明するためのフロー図である。
【図５】アナログ放送停波判定処理で停波が確定したときの放送受信装置の電力供給状態の一例を説明するためのブロック図である。
【図６】アナログ放送停波に伴うアナログチューナに係る機能の無効化処理の一例を説明するためのフロー図である。
【図７】アナログ放送停波判定処理が誤判定だったときの放送受信装置の電力供給状態の一例を説明するためのブロック図である。
【図８】アナログ放送停波判定処理が誤判定だったときのアナログチューナに係る機能の有効化処理の一例を説明するためのフロー図である。
【図９】アナログチューナに係る機能を有効化した後の入力切替メニューの一例を示す図である。
【図１０】アナログ放送停波判定処理に係るスキップ設定時に表示される設定画面の一例を示す図である。
【図１１】アナログ放送停波判定処理において誤判定を回避するためのコーション表示の例を示す図である。
【図１２】アナログＴＶチューナがハッチングされ選択不可にされた入力切替メニューの例を示す図である。
【符号の説明】
【００６０】
１０…放送受信装置、１１…同期判定部、１２…アナログチューナ、１３…デジタルチューナ、１３′…デジタルチューナモジュール、１４…記憶部、１５…映像処理部（ＯＳＤ手段）、１６…マイコン（停波判定手段）、１７…モニタ。
【図１】
2008312135.tif 000003
【図２】
2008312135.tif 000004
【図３】
2008312135.tif 000005
【図４】
2008312135.tif 000006
【図５】
2008312135.tif 000007
【図６】
2008312135.tif 000008
【図７】
2008312135.tif 000009
【図８】
2008312135.tif 000010
【図９】
2008312135.tif 000011
【図１０】
2008312135.tif 000012
【図１１】
2008312135.tif 000013
【図１２】
2008312135.tif 000014